(57)【要約】【課題】  測定データの記録時に、関連する音声及び／または画像データを同時記録し、再生時に、この音声及び／または画像データを指定することにより、測定データの再生位置を、この音声及び／または画像データが入力された時点以降の記録開始位置に瞬時に更新する。【解決手段】  測定データを記録する汎用入力データファイル２０のヘッダ部２１には、通常のヘッダ情報２１１と、音声データとのリンクを示す音声データリンク部２１２とが設けられる。音声データ記録位置Ａ，Ｂ，Ｃ…は、それぞれ、音声データファイル上に記録されている音声データの記録位置を示す。これらの記録位置Ａ，Ｂ，Ｃ…の各々には、対応する汎用入力データ２２のデータポイント（再生位置）が書き込まれている。このデータポイントは、記録時に対応する音声データが入力された時点以降の汎用入力データ２２の記録開始位置である。【選択図】      図２
2005285288.tif 000002
【特許請求の範囲】
【請求項１】
物理量を測定する１以上のセンサの各々から入力される測定データを、前記データの属性情報を示す音声データおよび／または画像データと共に、それぞれ記憶媒体上に記録する手段と、前記記憶媒体上に記録された測定データを再生して表示する手段とを有する音声タグ機能および／または画像タグ機能を持ったデータレコーダであって、
前記１以上のセンサから入力される測定データの記録時に、前記測定データに関連した音声データおよび／または画像データが入力された時点以降の前記測定データの記録開始位置を、前記音声データおよび／または画像データと共に記憶しておく手段と、
前記測定データの再生時に、前記記憶された測定データの記録位置に対応する前記測定データの再生位置を示すタグのアイコンを表示する手段と、
操作者によって、前記アイコンが選択された時に、前記測定データの再生を前記記憶された測定データの記録開始位置に移動すると共に前記音声データおよび／または画像データを再生する手段と、
を備えたことを特徴とするデータレコーダ。
【請求項２】
測定データの記録時に、前記１以上のセンサから入力される測定データをファイル化して前記記憶媒体に記録する手段と、前記測定データの記録と共に入力される前記測定データに関連した音声データおよび／または画像データをファイル化して前記記憶媒体に記録する手段と、前記音声データおよび／または画像データが入力された時点以降の前記測定データが記録される記録開始位置を示す情報を、前記音声データファイルおよび／または画像データファイル内の各音声データおよび／または画像データに追加的に記録する手段と、前記音声データおよび／または画像データの前記記憶媒体上での記録開始位置を示す情報を、前記測定データファイルのヘッダ部に保存する手段とを備えたことを特徴とする請求項１記載のデータレコーダ。
【請求項３】
前記測定データの再生時に、操作者により指定された前記測定データファイル内の測定データを再生して順次表示する手段と、前記測定データファイルのヘッダ部に記録されている音声データおよび／または画像データの記録開始位置を読み込む手段と、前記記憶媒体上の前記記録開始位置から、前記音声データファイルおよび／または画像データファイル内の音声データおよび／または画像データを読み込む手段と、前記読み込まれた音声データおよび／または画像データから、前記測定データの記録開始位置を示す情報を読み出すと共に、前記記録開始位置を指示するタグのアイコンを作成して表示する手段と、前記表示されたアイコンが操作者により選択された時に、前記測定データファイルの読み出し位置を、前記読み込まれた測定データの記録開始位置でもって更新すると共に、前記読み込まれた音声データおよび／または画像データを再生する手段とを備えたことを特徴とする請求項１または請求項２記載のデータレコーダ。
【請求項４】
前記測定データが再生されて、表示される時には、１以上のグラフおよび／または数値データを含む表現で表示されることを特徴とする請求項１乃至３のいずれか１項に記載のデータレコーダ。
【請求項５】
前記アイコンの各々に対応する前記音声データおよび／または画像データの入力時刻を、それぞれ記憶しておき、前記表示されるグラフの時間軸上の前記入力時刻の位置に対応させて、前記アイコンの各々を表示することを特徴とする請求項４記載のデータレコーダ。
【請求項６】
前記測定データは、ディジタルデータに変換されて前記記憶媒体に記憶されることを特徴とする請求項１乃至５のいずれか１項に記載のデータレコーダ。
【請求項７】
前記センサには、少なくとも電圧、温度、およびひずみの大きさのいずれか１つを測定するセンサが含まれていることを特徴とする請求項１乃至６のいずれか１項に記載のデータレコーダ。
【発明の詳細な説明】
【技術分野】
【０００１】
本発明は、データレコーダに関し、特に、センサ等からのデータを記録すると共に、同時点で記録された音声データや画像データのマークを検索用タグとして使用することができる音声タグ機能および／または画像タグ機能を持ったデータレコーダに関する。
【背景技術】
【０００２】
従来、データレコーダは、電圧、温度、ひずみ等の数値を検出するセンサからのデータ（アナログ信号）を連続的に集録するために使用されている。
従来は、データレコーダの記録媒体として、データ量の関係から、磁気テープが広く採用されていた。しかしながら、近年は、記録技術、特に記憶媒体の技術が進展し、データ量が多くなる連続記録方式の場合にも、半導体記録素子が使用されるようになった。また、これに伴い、記録方式も、周波数変調（ＦＭ）記録方式からディジタル記録方式へと進展している。
この従来のデータレコーダには、データ記録時に、任意の音声データを同時に記録しておいて、再生時に、この音声データを手掛かりにして、試験の各工程を把握して記録したデータの切り分けや確認に利用していた。
【発明の開示】
【発明が解決しようとする課題】
【０００３】
しかしながら、上記背景技術で述べたデータレコーダ、特に、データ記録時に、任意の音声データを同時記録する方式の従来のデータレコーダにあっては、音声集録データ自体を直接検索に利用することができず、記録全体を早送り再生し、センサからのデータと同時に記録された音声データを操作者が聴取することにより、検索していたので、データの検索速度が上がらず、また、聞き落としが常時発生し易いといった問題点があった。
また、センサからのデータと同時に記録される音声データも、連続的に記録される必要があるので、各種のデータ圧縮技術を使用したとしても、データ量が膨大となるといった問題点があった。特に、低いサンプリング周波数で集録する時には、半導体メモリに占めるデータ量が、センサからのデータよりも大きくなることがあった。
さらに、センサからのデータと同時に記録しておいた音声データの内容を、再生時に記録者が失念してしまうといった問題点があった。
本発明は、上記従来の問題点に鑑みてなされたものであって、測定データの記録時に、関連する音声データおよび／または画像データを同時記録し、再生時に、この音声データおよび／または画像データを指定することにより、測定データの再生位置を、この音声データおよび／または画像データが入力された時点以降の記録開始位置に更新することができるデータレコーダを提供することを目的としている。
【課題を解決するための手段】
【０００４】
請求項１に記載した本発明に係るデータレコーダは、上述した目的を達成するために、物理量を測定する１以上のセンサの各々から入力される測定データを、前記データの属性情報を示す音声データおよび／または画像データと共に、それぞれ記憶媒体上に記録する手段と、前記記憶媒体上に記録された測定データを再生して表示する手段とを有する音声タグ機能および／または画像タグ機能を持ったデータレコーダであって、
前記１以上のセンサから入力される測定データの記録時に、前記測定データに関連した音声データおよび／または画像データが入力された時点以降の前記測定データの記録開始位置を、前記音声データおよび／または画像データと共に記憶しておく手段と、
前記測定データの再生時に、前記記憶された測定データの記録位置に対応する前記測定データの再生位置を示すタグのアイコンを表示する手段と、
操作者によって、前記アイコンが選択された時に、前記測定データの再生を前記記憶された測定データの記録開始位置に移動すると共に前記音声データおよび／または画像データを再生する手段と、
を備えたことを特徴とする。
【０００５】
また、請求項２に記載した本発明に係るデータレコーダは、請求項１記載のデータレコーダにおいて、測定データの記録時に、前記１以上のセンサから入力される測定データをファイル化して前記記憶媒体に記録する手段と、前記測定データの記録と共に入力される前記測定データに関連した音声データおよび／または画像データをファイル化して前記記憶媒体に記録する手段と、前記音声データおよび／または画像データが入力された時点以降の前記測定データが記録される記録開始位置を示す情報を、前記音声データファイルおよび／または画像データファイル内の各音声データおよび／または画像データに追加的に記録する手段と、前記音声データおよび／または画像データの前記記憶媒体上での記録開始位置を示す情報を、前記測定データファイルのヘッダ部に保存する手段とを備えたことを特徴とする。
【０００６】
また、請求項３に記載した本発明に係るデータレコーダは、請求項１または請求項２記載のデータレコーダにおいて、前記測定データの再生時に、操作者により指定された前記測定データファイル内の測定データを再生して順次表示する手段と、前記測定データファイルのヘッダ部に記録されている音声データおよび／または画像データの記録開始位置を読み込む手段と、前記記憶媒体上の前記記録開始位置から、前記音声データファイルおよび／または画像データファイル内の音声データおよび／または画像データを読み込む手段と、前記読み込まれた音声データおよび／または画像データから、前記測定データの記録開始位置を示す情報を読み出すと共に、前記記録開始位置を指示するタグのアイコンを作成して表示する手段と、前記表示されたアイコンが操作者により選択された時に、前記測定データファイルの読み出し位置を、前記読み込まれた測定データの記録開始位置でもって更新すると共に、前記読み込まれた音声データおよび／または画像データを再生する手段とを備えたことを特徴とする。
【０００７】
また、請求項４に記載した本発明に係るデータレコーダは、請求項１乃至３のいずれか１項に記載のデータレコーダにおいて、前記測定データが再生されて、表示される時には、１以上のグラフおよび／または数値データを含む表現で表示されることを特徴とする。
また、請求項５に記載した本発明に係るデータレコーダは、請求項４記載のデータレコーダにおいて、前記アイコンの各々に対応する前記音声データおよび／または画像データの入力時刻を、それぞれ記憶しておき、前記表示されるグラフの時間軸上の前記入力時刻の位置に対応させて、前記アイコンの各々を表示することを特徴とする。
また、請求項６に記載した本発明に係るデータレコーダは、請求項１乃至５のいずれか１項に記載のデータレコーダにおいて、前記測定データは、ディジタルデータに変換されて前記記憶媒体に記憶されることを特徴とする。
さらに、請求項７に記載した本発明に係るデータレコーダは、請求項１乃至６のいずれか１項に記載のデータレコーダにおいて、前記センサには、少なくとも電圧、温度、およびひずみの大きさのいずれか１つを測定するセンサが含まれていることを特徴とする。
【発明の効果】
【０００８】
本発明によれば、上述のように構成したので、１以上のセンサからの測定データをそれぞれ記録すると共に、任意のタイミングで音声データおよび／または画像データを同時記録し、再生時に、操作者が、この音声データおよび／または画像データを示すタグを選択することにより、測定データの再生位置を、この音声データおよび／または画像データが入力された時点以降の記録開始位置に更新することが可能なデータレコーダを提供することができる。
また、本発明によれば、音声データおよび／または画像データと測定データとをリンクして記録することにより、測定データの検索用のタグとして利用できるので、データ集録（記録）の各ステップ毎に音声および／または画像を入力しておくことにより、データ再生時に操作者のワンキー操作でそのデータポイントにジャンプすることができ、このことにより、集録した測定データの後処理における測定データの切り出しを容易に行い得るデータレコーダを提供することができる。
近年の半導体メモリの大容量化により、データレコーダは益々長時間のデータ集録が可能になったが、長時間集録した大容量の集録データの中から必要なデータだけを抽出する作業は、本発明に係る検索タグが無い場合、コンピュータの性能向上にも拘わらず多くの時間を要する作業となる。
【０００９】
また、検索用のタグとしてイベント信号をディジタル入力として一緒に集録する方法も考えられるが、本発明のように音声タグを用いる場合には、実際の試験状況を音声でまたは画像確認できるので、より確実な検索を行うことが可能となる。
また、本発明によれば、音声データおよび／または画像データの連続集録からスポット的な必要最小限の集録に変えることにより、当該保存ファイルの低容量化が実現でき、データ記憶部の有効な利用を実現し得るデータレコーダを提供することができる。
また、本発明によれば、タグのアイコンを表示する手段には、１以上のグラフおよび／または数値データがともに表示されるように構成されているので、測定データの動作波形を音声タグの表示位置および音声または画像と対応して、検討することができ、また、再生表示としては全データの表示と拡大表示とを、同時に確認でき、極めて操作性のよいデータレコーダを提供することができる。
また、アイコンの各々に対応する音声データおよび／または画像データの入力時刻を、記憶しておき、表示画面上のグラフの時間軸上の入力時刻の位置に対応させてアイコンの各々を表示するように構成してあるので、特定の時刻に集録された測定データを迅速に検索、表示させ得るデータレコーダを提供することができる。
また、本発明によれば、電圧、温度、ひずみ等を検索するセンサを用いることで、あらゆる物理現象を電気信号に変換して計測し且つ迅速に解析し得るデータレコーダを提供することができる。
【発明を実施するための最良の形態】
【００１０】
以下、本発明の音声タグ機能および／または画像タグ機能を持ったデータレコーダの最良の実施形態について詳細に説明する。
図１は、本発明の実施の形態に係るデータレコーダの要部の構成を示している。
同図において、本実施の形態に係るデータレコーダは、測定されるべき各種の物理的対象に対応した例えば、電圧出力センサ、熱電対センサ、ひずみセンサ（ひずみゲージを用いた変位変換器、加速度変換器、圧力変換器、荷重変換器、トルク変換器、その他各種変換器を含む）等の少なくとも１つ以上のセンサを有するセンサ部１と、センサ部１の出力データ（測定データ）と同時記録される音声を入力する、例えば、マイクロフォンを用いる音声入力部２と、センサ部１の出力データと同時記録される画像を入力する例えば、ディジタルカメラを用いる画像入力部３と、センサ部１からのデータおよび同時記録される音声データと画像データ（または、そのいずれか一方）を、内蔵する記憶媒体に記録するレコーダ部４とを具備する。
【００１１】
レコーダ部４は、センサ部１からの信号を増幅・フィルタリングする入力コンディショナ４１と、アナログデータをディジタルデータに変換するＡ−Ｄ変換器４２と、音声入力部２からの音声データを内部フォーマットに変換するインタフェース４３と、画像入力部３からの画像データを内部フォーマットに変換するインタフェース４４と、一時記憶用のＲＡＭを内蔵するＣＰＵ４５と、操作者の指示を入力するための操作部４６と、記録・再生時のデータや各種設定情報を表示するための表示部４７と、ＣＰＵ４５をストアードプログラム方式で制御するためのプログラムを格納するＲＯＭ４８と、センサ部１からのデータおよび同時記録される音声データや画像データ等を最終的に記録するデータ記憶部４９と、これらの構成要素間のデータ伝送経路であるバスライン５０とを具備する。
【００１２】
音声入力部２と、画像入力部３とは、必ずしも両方共が具備すべき構成要素とは限らず、どちらか一方だけを具備してもよいが、少なくとも音声入力部２は、必ず備えることが望ましい。
操作部４６は、操作者が操作指令を入力することができるキーやスイッチ類、および表示部４７の表示画面上での操作を可能にするためのマウス等を具備するものとする。
表示部４７は、図５に示すように、記録時に記録されるデータや各種設定情報をリアルタイムで表示することができると共に、再生時に再生データを数値や現象波形やグラフで表示できる機能を有するものとする。
ＣＰＵ４５は、ＲＯＭ４８に格納されたプログラムに従って、ストアードプログラム方式で制御されるものとする。
【００１３】
なお、音声入力部２を具備する構成の場合は、この音声入力部２から入力された音声を再生するための音声再生装置（スピーカ等）を備えるものとする。
図５は、本発明のデータレコーダの表示部の一構成例の表示画面を示す図である。
この図５において、上下二段の測定データ波形図のうち、上段は、全集録域データ波形図であり、下段は、その集録域の最初から約１／３の時間軸部分の拡大波形図である。
この図の中に、破線で描いた円の中にスピーカーを模した図をもって示す部分が音声タグのアイコンを示す音声タグマークＴａ１〜Ｔａ５であり、この音声タグマークＴａ１〜Ｔａ５をカーソルまたはスクロールバーを操作することで、再生時の検索に用いるものである。
以下、本実施形態に係るデータレコーダの動作について説明する。
まず、データ記録時の動作について説明する。
先ず、操作者は、操作部４６のデータ集録釦（図示は省略）を押し操作し、その後、ボイスメモ釦（図示は省略）をオンにする。これにより、センサ部１で、各種物理量を電気量に変換された測定データの記録を指令する信号および音声・画像データの記録を指令する信号が、バスライン５０を経由してＣＰＵ４５に入力される。
【００１４】
先ず、センサ部１から入力されたセンサ出力データ（請求項１記載の測定データ）は、レコーダ部４の入力コンディショナ４１（図１）に入力される（以下、このデータを「汎用入力データ」と呼称する）。センサ部１のチャンネル数は、任意であり、例えば、数チャンネルから数百チャンネルが可能である。
この汎用入力データは、入力コンディショナ４１において、適切に増幅およびフィルタリングされ、Ａ−Ｄ変換部４２に送出される。
Ａ−Ｄ変換部４２に入力されたデータは、ディジタルデータに変換される（以下、このデータを「汎用ディジタルデータ」と呼称する）。このＡ−Ｄ変換部４２の動作は、通常、指定されたサンプリング周波数（この実施の形態にあっては、１００Ｈｚ）に基づいて、全チャンネルに対して同じタイミングでサンプリングする（即ち、同時サンプリングが可能）。
【００１５】
Ａ−Ｄ変換部４２から出力されたディジタルデータは、バスライン５０経由で、ＣＰＵ４５の制御の下で、ファイルとしてＣＰＵ４５内のＲＡＭに一時的に記録された後、データ記憶部４９に保存される（以下、このファイルを「汎用データファイル」と呼称する）。
一方、音声入力部２および／または画像入力部３からの出力信号（請求項１記載の音声データおよび／または画像データ）は、それぞれ専用のインタフェースであるインタフェース４３および／またはインタフェース４４により、適切なデータフォーマット（内部フォーマット）に変換される。
インタフェース４３および／またはインタフェース４４から出力された音声データおよび／または画像データは、バスライン５０経由で、ＣＰＵ４５の制御の下で、それぞれ専用ファイルとしてＣＰＵ４５内のＲＡＭに一時的に記憶された後にデータ記憶部４９に保存される（以下、このファイルを「音声・画像データファイル」と呼称する）。
【００１６】
この音声・画像データファイル内の各音声・画像データには、前述の汎用入力データファイル内の各汎用データとの関連性を示す情報が含められるものとする。この関連性を示す情報として、例えば、音声データの場合は、当該音声データと関連する汎用入力データを収納している汎用入力データファイルのファイル名等の属性情報を含めることができる。また、画像データの場合は、当該画像データと関連する風景（例えば、汎用入力データを集録した時の辺りの風景）等の属性情報を画像データとして含めることができる。さらに、いずれの場合にも、当該音声・画像データが入力された時点での汎用入力データのデータポイント（データ記憶部４９上の汎用入力データの格納アドレス）を示す番号を記録することができる。
図２は、本発明の実施の形態に係るデータレコーダにおける各データの格納場所およびデータ間の関連を示す一例としての説明図である。
同図に示すように、この音声・画像データファイル内の各音声・画像データ（但し、図２に示す例では、音声データだけの場合を示すが、画像データの場合も、同様である）の記録開始位置は、記録の再生時までには（従って、一般には記録の終了時）、汎用入力データファイル２０のヘッダ部２１に記録されるものとする。
【００１７】
図２に示す例では、ヘッダ部２１に、通常のヘッダ情報を記録する領域のヘッダ情報２１１と、音声データとのリンクを格納する領域の音声データリンク部２１２とが設けられる。
図２に示す例では、この音声データリンク部２１２にリンクされる音声データは、記録数（音声データの入力回数）が３点であるが、勿論３点に限らず、実際には数１０点を越えることがある。また、音声データリンク部２１２に記録されている音声データ記録位置Ａ，Ｂ，Ｃ…は、それぞれ、音声データファイル上に記録されている音声データの記録位置を示す。また、この音声データリンク部２１２には、これらの記録位置Ａ，Ｂ，Ｃ…の各々に対応して、汎用入力データ２２のデータポイント（再生位置）を示す番号（この例では、１０，２００，５００…）が書き込まれている。このデータポイントは、記録時に対応する音声データが入力された時点以降の汎用入力データ２２の記録開始位置である。
【００１８】
次に、データ再生時の動作について説明する。
操作者は、再生すべき汎用入力データファイル２０のファイル名等を操作部４６を介して入力し、バスライン５０を経由してＣＰＵ４５に送出する。
これによりＣＰＵ４５は、汎用入力データファイル２０のヘッダ部２１内に記録された前述の音声データの各々の記録開始位置を読み込み、この記録開始位置の各々に対応するタグを作成して、前記記録開始位置と、作成した前記タグとの対応関係を内部的なメモリ（ＲＡＭ）に記憶すると共に、このタグを示すアイコンＴａ１〜Ｔａ５を図５に示す表示部４７の表示画面に表示する。また、データ記憶部４９に格納されている音声・画像データファイルを音声・画像データの記録開始位置から読み込み、前述の汎用入力データのデータポイント（データ記憶部４９上の汎用入力データの格納位置）を示す番号を取り出す。さらに、ＣＰＵ４５は、この前述のタグのアイコンＴａ１〜Ｔａ５が、操作者によるマウスによるカーソル操作あるいは、スクロールバーのスクローク操作等の手段により選択された時に、汎用入力データファイル内の再生位置を更新する。この更新は、図２に例示するデータ間の関係により実行される。
【００１９】
より具体的には、図２に示す例の場合、ＣＰＵ４５は、まず、前述の内部的なメモリ（ＲＡＭ）の内容を参照し、操作者により選択された前記タグに対応する前述の音声・画像データの各々の記録開始位置を読み込み、次に、この記録開始位置をキーとして汎用入力データファイル２０の音声データリンク部２１２の音声・画像データの各々の記録開始位置を検索し、汎用入力データファイル２０のヘッダ部２１内で一致する（前記タグに対応する）音声・画像データの記録開始位置に対応する汎用入力データの記録位置（再生すべき汎用入力データのデータポイントの番号）を割り出す。
次に、ＣＰＵ４５は、この割り出されたデータポイントの番号でもって、汎用入力データの再生位置を更新する（即ち、ジャンプさせる）。
【００２０】
また、この更新された再生位置からの再生に先立って（または同時に）、この音声・画像データに対応する汎用入力データを順次に表示部４７（図５参照）上に表示する。この表示は、１チャンネルとは限らず、複数チャンネル分（図５においては、２チャンネル分）の汎用入力データを同時に表示することができる。
これにより、操作者は、このタグのアイコンＴａ１〜Ｔａ５をクリックするか、またはワンキー操作することにより、汎用入力データファイル２２内の再生位置を更新させる（即ち、ジャンプさせる）ことができる。また、この更新と同時に、操作者は、データポイントに記録されている汎用入力データの属性情報を聴取または視認することができるので、この属性情報を参考にして、引き続き再生される汎用入力データの性質を一層確実に認識し、解析することができる。
【００２１】
なお、音声・画像データの各々が入力された時刻を記録しておき、再生すべき汎用入力データファイルのファイル名が操作部４６から入力されることによって、再生される汎用入力データを表示するためのグラフの枠組みだけを先に表示しておいて、前述のタグのアイコンを、このグラフの時間軸上に沿って、このグラフの枠組みの上面または下面に表示させるように構成することも可能である。
また、特殊な場合として、汎用入力データと対応させて入力する音声・画像データを、全て同じ内容のデータとすることも可能であるが、この場合にも、この音声・画像データの各々の入力時点に対応するデータポイントに対応したタグ（従って、上記時間軸上での表示位置が異なる）が表示されるものとする。
図３は、本発明の実施の形態に係るデータレコーダの汎用データ記録時（集録時）の動作を示すフローチャートである。
【００２２】
以下、図１，２を参照しながら、図３に示すフローチャートを使用して、本実施形態に係るデータレコーダの汎用データ記録時のＣＰＵ４５の動作を処理順に説明する。
操作部４６から、汎用データの集録を開始する指令が入力されると、ＣＰＵ４５（以下、この主語を省略する）は、汎用入力データの集録を開始する。
この汎用データの集録開始後、これと並行して、ＣＰＵ４５は、音声・画像データの同時記録を指令する信号がオンか否かを検証し、この信号がオンでなければオンになるまで待機し、また、この信号がオンになるとステップＳ２に進む（ステップＳ１）。
ステップＳ２では、入力される音声・画像データに割り当てられるデータ記憶部４９上の記録開始位置を内部的なメモリ（ＲＡＭ）に記録し、音声・画像データのデータ記憶部４９上での記録を開始する。なお、音声・画像データの上記記録開始位置は、後で、関連する汎用入力データの記録開始位置とリンクされる。また、音声・画像データの記録に際しては、この時点で記録される前記汎用入力データの属性情報と共に、汎用入力データのデータポイント番号も記録される。
【００２３】
次に、音声・画像データの同時記録を指令する信号がオフか否かを検証し、この信号がオフでなければ、ステップＳ２で開始した音声・画像データの記録を継続し、また、この信号がオフに転じると、ステップＳ４に進む（ステップＳ３）。
ステップＳ４では、音声・画像データの記録を終了する。
次に、汎用入力データの集録が終了したか否かを検証し、汎用入力データの集録が未終了の場合はステップＳ１に戻り、汎用入力データの集録が終了した場合はステップＳ６に進む（ステップＳ５）。なお、この汎用入力データの集録が終了する条件は、規定されている時間が経過した時、または操作部４６のＳＴＯＰ釦（図示は省略）が押下された時である。
【００２４】
ステップＳ６では、以下に箇条書きする処理を行って、処理を終了する。
（１）  汎用入力データファイルを保存する（ファイルをクローズする）。
（２）  内部的なメモリ（ＲＡＭ）に記録していた前述の音声・画像データの記録開始位置をデータ記憶部４９における汎用データファイル２０のヘッダ部２１に記録する。
（３）  音声・画像データファイルをデータ記憶部４９に保存する（ファイルをクローズする）。
図４は、本発明の実施の形態に係るデータレコーダの汎用データ再生時の動作を示すフローチャートである。
以下、図１，図２および図５を参照しながら、図４に示すフローチャートを使用して、本実施の形態に係るデータレコーダの汎用データ再生時のＣＰＵ４５の動作を説明する。
操作部４６から、汎用データの再生を開始する指令が入力されると、ＣＰＵ４５は、汎用入力データの再生を開始する。
【００２５】
まず、ＣＰＵ４５は、前述の汎用データの再生を開始する指令を入力して、汎用入力データファイル２０をオープンする。このファイルは、ユーザによって選択され、指定されたファイルである（ステップＳ２１）。
次に、この汎用入力データファイル２０のヘッダ部２１から音声・画像データの開始位置を読み込み、さらに、この開始位置（データ記憶部４９上の音声・画像データファイル内の位置）から音声・画像データを読み込む（ステップＳ２２）。
次に、読み込んだ音声・画像データに含まれるデータポイントに対応するタグを作成して、このタグを、表示部４７の表示画面に表示する。また、このタグがクリック（またはスクロール）された時に前記音声・画像データが再生されると共に、汎用入力データファイルのアクセスポイントが、前述のデータポイントでもって更新されるように必要な項目を内部メモリに記憶する等の準備を行う。さらに、汎用入力データファイル２０の現在の再生位置から、汎用入力データを読み出し、グラフ表示や数値表示によって、表示部４７の表示画面に表示（再生）する（ステップＳ２３）。
因に、図５においては、汎用データの実際波形の２つが表示されている。
【００２６】
次に、音声・画像データの再生開始位置（即ち、表示された前述のタグ）の、操作者による選択結果を入力する（ステップＳ２４）。
次に、前記選択結果から、操作者により選択されたタグにジャンプするか否かを検証し、操作者によりジャンプが指示されていなければステップＳ２３に戻る。また、操作者により選択されたタグへのジャンプが指示されていれば、前述の準備により、汎用入力データファイルのアクセスポイントを、前述のデータポイントでもって更新し、ステップＳ２６に進む（ステップＳ２５）。この更新により、データファイルのアクセスポイントが、前述のデータポイントにジャンプする。
ステップＳ２６では、前記読み出した音声・画像データの記録開始位置から、音声・画像データを再生する。これにより、操作者は、前述のデータポイントから記録されている汎用入力データに関する属性情報を視聴することができるので、望みの汎用入力データの確認と検索が迅速且つ確実に行えることとなる。
【００２７】
次に、汎用入力データファイルの再生を終了させる指令が入力されたか否かを検証し、汎用入力データファイルの再生を終了させる指令が入力されていない場合はステップＳ２３に戻り、また、汎用入力データファイルの再生を終了させる指令が入力された場合は、全てのファイルをクローズして再生処理を終了する（ステップＳ２７）。
なお、この実施の形態では、音声・画像データ本体に加えて汎用入力データの記録位置を含む音声・画像データが、音声・画像データファイルに格納されたままでＣＰＵ４５によって参照される場合を示したが、本発明では、一般に、再生時までに、この音声・画像データ本体を、汎用入力データファイルのヘッダ情報（図２）に含めることができる。さらに、本発明では、一般に、再生時までに、汎用入力データの記録位置を、汎用入力データファイルのヘッダ情報（図２）に含めることができる。
【００２８】
また、本発明に係るデータレコーダの上記処理を、図２，３のフローチャートで示した手順によりＣＰＵ４５に実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【００２９】
【図１】本発明の実施の形態に係るデータレコーダの要部の構成を示すブロック図である。
【図２】本発明の実施の形態に係るデータレコーダにおける各データの格納場所およびデータ間の関連を示す一例としての説明図である。
【図３】本発明の実施の形態に係るデータレコーダの汎用データ記録時の動作を示すフローチャートである。
【図４】本発明の実施の形態に係るデータレコーダの汎用データ再生時の動作を示すフローチャートである。
【図５】本発明の表示部における表示例を示す図である。
【符号の説明】
【００３０】
１  センサ部
２  音声入力部
３  画像入力部
４  レコーダ部
２０  汎用入力データファイル
２１  ヘッダ部
２２  汎用入力データ
４１  入力コンディショナ
４２  Ａ−Ｄ変換器
４３，４４  インタフェース
４５  ＣＰＵ
４６  操作部
４７  表示部
４８  ＲＯＭ
４９  データ記憶部
２１１  ヘッダ情報
２１２  音声データリンク部
【図１】
2005285288.tif 000003
【図２】
2005285288.tif 000004
【図３】
2005285288.tif 000005
【図４】
2005285288.tif 000006
【図５】
2005285288.tif 000007